(57)【要約】【課題】愛玩動物に取り付けが容易であり、かつ優れた吸水性を有する愛玩動物用衣服を提供する。【解決手段】愛玩動物用衣服であって、愛玩動物を覆う布と、該布を愛玩動物に固定するベルトとを有し、前記布とベルトに極細繊維が含まれることを特徴とする愛玩動物用衣服の構成とした。また、前記極細繊維の単繊維繊度が０．００１〜１．０ｄｔｅｘの範囲内である、愛玩動物用衣服の構成とした。さらに、前記布およびベルトがパイル布帛からなる、愛玩動物用衣服の構成とした。【選択図】図１
0003212323.tif 000002
【実用新案登録請求の範囲】
【請求項１】
愛玩動物用衣服であって、
愛玩動物を覆う布と、該布を愛玩動物に固定するベルトとを有し、前記布とベルトに極細繊維が含まれることを特徴とする愛玩動物用衣服。
【請求項２】
前記極細繊維の単繊維繊度が０．００１〜１．０ｄｔｅｘの範囲内である、請求項１に記載の愛玩動物用衣服。
【請求項３】
前記布およびベルトがパイル布帛からなる、請求項１または請求項２に記載の愛玩動物用衣服。
【請求項４】
愛玩動物用衣服が、愛玩動物の首に位置する部分にリードを通す穴を有する、請求項１〜３の何れか１項に記載の愛玩動物用衣服。
【請求項５】
愛玩動物用衣服が、愛玩動物の背部に位置する布から連設された、前記愛玩動物の頭部を覆う帽子を有する、請求項１〜４の何れか１項に記載の愛玩動物用衣服。
【請求項６】
前記帽子の縁部に伸縮部材を有する、請求項５に記載の愛玩動物用衣服。
【請求項７】
前記帽子の縁の両付け根に、愛玩動物の顎位置で貼り付き合う面ファスナーを有する、請求項１〜６の何れか１項に記載の愛玩動物用衣服。
【考案の詳細な説明】
【技術分野】
【０００１】
本考案は、愛玩動物に取り付けが容易であり、かつ優れた吸水性を有する愛玩動物用衣服に関する。
【背景技術】
【０００２】
従来、愛玩動物用衣服は種々提案されている（例えば、特許文献１、２）。しかしながら、愛玩動物に取り付けが容易であり、かつ優れた吸水性を有する愛玩動物用衣服はあまり提案されてない。
【先行技術文献】
【特許文献】
【０００３】
【特許文献１】特開２０１０−２３９９２９号公報
【特許文献２】特開２０１５−１４４５６９号公報
【考案の概要】
【考案が解決しようとする課題】
【０００４】
本考案は、上記の背景に鑑みなされたものであり、愛玩動物(ペット)、例えば犬、ネコに取り付けが容易であり、かつ優れた吸水性を有する愛玩動物用衣服を提供することにある。
【課題を解決するための手段】
【０００５】
本考案者らは、極細繊維を含む生地で、愛玩動物を覆う布と、該布を愛玩動物に固定するベルトとを構成することにより、愛玩動物に取り付けが容易であり、かつ優れた吸水性を有する愛玩動物用衣服が得られることを見出し、さらに鋭意検討を重ねることにより本考案に到達した。
【０００６】
かくして、本考案によれば「愛玩動物用衣服であって、愛玩動物を覆う布と、該布を愛玩動物に固定するベルトとを有し、前記布とベルトに極細繊維が含まれることを特徴とする愛玩動物用衣服。」が提供される。
【０００７】
その際、前記極細繊維の単繊維繊度が０．００１〜１．０ｄｔｅｘの範囲内であることが好ましい。また、前記布およびベルトがパイル布帛からなることが好ましい。また、愛玩動物用衣服が、愛玩動物の首に位置する部分にリードを通す穴を有することが好ましい。また、愛玩動物用衣服が帽子を有することが好ましい。その際、前記帽子の縁部に伸縮部材を有することが好ましい。また、前記帽子の縁の両付け根に、愛玩動物の顎位置で貼り付き合う面ファスナーを有することが好ましい。
【考案の効果】
【０００８】
本考案によれば、愛玩動物に取り付けが容易であり、かつ優れた吸水性を有する愛玩動物用衣服が得られる。
【図面の簡単な説明】
【０００９】
【図１】本考案の愛玩動物用衣服の一例を示す表側の斜視写真である。
【図２】図１の裏側の斜視写真である。
【図３】図１の帽子部分の表側の拡大写真である。
【図４】図３の裏側の拡大写真である。
【図５】図１の愛玩動物用衣服の着用時を想定した正面写真である。
【図６】図５の状態の背面写真である。
【図７】図５の状態の左側面写真である。
【図８】図５の状態の右側面写真である。
【図９】図５の状態の平面写真である。
【図１０】図５の状態の底面写真である。
【考案を実施するための形態】
【００１０】
以下、本考案の愛玩動物用衣服について詳細に説明する。なお、本考案は下記実施例に限定されるものではない。
【００１１】
本考案の愛玩動物用衣服は、愛玩動物を覆う布と、該布を愛玩動物に固定するベルトとを有する。布を愛玩動物の背部から被せ、腹部で交差させベルト(好ましくは２本のベルト)同士を結ぶことにより、愛玩動物に固定することができる。
【００１２】
ここで、前記布とベルトに極細繊維が含まれることが肝要である。前記布とベルトに極細繊維が含まれることにより優れた吸水性が得られる。また同時に、ベルトの摩擦係数が大きくなることにより、結んだベルトが解け難いという優れた効果を奏する。
【００１３】
前記極細繊維において、単繊維繊度が０．００１〜１．０ｄｔｅｘの範囲内であることが好ましい。該単繊維繊度が１．０ｄｔｅｘより大きいと吸水性が低下するおそれがある。逆に該単繊維繊度が０．００１より小さいと製造が困難になるおそれがある。
【００１４】
かかる極細繊維の種類は特に限定されず、ポリエチレンテレフタレート、ポリトリメリレンテレフタレートなどのポリエステルやポリアミドに代表される合成繊維や、再生繊維、半合成繊維、天然繊維など自由に選択できる。この中でも、単繊維繊度が０．００１〜１．０ｄｔｅｘの極細繊維を得る上で合成繊維が好ましく例示される。
【００１５】
かかる極細繊維の製造方法については常法の方法を採用することができる。例えば、ポリマーとして、ポリエチレンテレフタレートとポリアミドを使用して、分割可能な割繊型複合繊維を、染色工程の熱履歴やアルカリ減量工程や仮撚捲縮加工により割繊されたものが、空隙が多く優れた吸水性が得られ好ましい。また、かかる極細繊維に仮撚捲縮加工が施されてもよい。
【００１６】
前記布およびベルトを構成する布帛としては優れた吸水性を得る上でパイル布帛が好ましい。かかるパイル布帛の布帛組織としては、特に限定されず、例えば、片面パイル、両面パイル、二重ビロードなどパイル織機によって得られるパイル織物や、トリコット編機、ラッセル編機、シンカーパイル編機、シール編機により得られるパイル編物が例示される。次に、該ループパイル布帛に、常法に従い、染色、仕上げセットを施すことが好ましい。該立毛布帛に、必要に応じて、吸水剤、平滑剤、抗菌剤、消毒剤などを付与してもよい。
【００１７】
かかる布帛において、目付けは３００〜９００ｇｒ／ｍ２の範囲内であることが好ましい。該目付けが３００ｇｒ／ｍ２より小さいと、吸水性が低下するおそれがある。逆に、該目付けが９００ｇｒ／ｍ２より大きいと軽量性が損なわれるおそれがある。
【００１８】
本考案の愛玩動物用衣服は、前記の布とベルトを有する。その際、布は図１に示すように穴を有していると、首輪につなげた紐を通すことができ好ましい。バスローブに穴があることで、ペットが走り回らないよう、紐を穴に通してペットをつなぎとめることができるため、タオルドライがより一層便利になる。また、帽子(フード)を有していると、愛玩動物の頭に付着した水滴を吸水することができ好ましい。
【００１９】
その際、前記帽子の縁部にゴム紐などの伸縮部材を有していると、帽子のサイズに汎用性を持たせることができ好ましい。また、前記布が面ファスナーを首部分などに有していると、サイズに汎用性を持たせることができるため、すばやく装着することができ好ましい。
【００２０】
本考案の愛玩動物用衣服は前記構成を有するので、愛玩動物に取り付けが容易であり、かつ優れた吸水性を有する。さらには、結んだベルトが解け難いという優れた効果を奏する。特にバスローブとして好適に使用することができる。
【実施例】
【００２１】
以下、実施例をあげて本考案をさらに具体的に説明する。なお、実施例中の物性は下記の方法により測定した。
（１）目付け
ＪＩＳＬ１０１８−１９９０  ６．４により目付け（ｇ／ｍ２）を測定した。
［実施例１］
分割型極細仮撚捲縮加工糸（ポリエチレンテレフタレート：ナイロン＝５０重量％：５０重量％）１６８ｄｔｅｘ／４０ｆｉｌ（１フィラメントが１６分割可能型）を用いて常法によりループパイル織物を得た後、常法に従い、染色、仕上げセットを施して、極細繊維(単繊維繊度が０．２６ｄｔｅｘ)を含むパイル織物（目付け５２０ｇｒ／ｍ２）を得た。
【００２２】
次いで、該パイル織物を用いて、愛玩動物を覆う布と、該布を愛玩動物に固定するベルトを得た後、図１に示すような、帽子及び穴を有する愛玩動物用衣服を得た。
【００２３】
図１、２に展開して示す、本考案の愛玩動物用衣服の一例は、図５−１０に示すように、愛玩動物に着用される。
【００２４】
具体的には、本考案は、犬、ネコなどの愛玩動物のボディー洗浄（シャンプー）後に、水滴を吸水、拭き取り、濡れの乾燥に使用される、バスローブタイプの愛玩動物用衣服である。
【００２５】
着用時の参考として、図５−１０に示した、ぬいぐるみに着付けたときの写真（着用状態の各参考図）から明らかなように、本考案である愛玩動物用衣服を、正面、左側面及び平面を表す図のように展開したうえで、底面側を下にして、愛玩動物の背中に背部布を載せ、愛玩動物の腹部側に、左右の前後腹部布を垂らす。そして、第一ベルトと第二ベルトを結び、本考案である愛玩動物用衣服を愛玩動物に着付ける。
【００２６】
これにより、愛玩動物のシャンプー後のボディーの濡れを拭き取り、乾燥を促進させる。帽子部分は愛玩動物の頭部に被せ、顎下方で左右の面ファスナーを貼り付けて帽子を固定する。帽子の先端部分には、図２，３の拡大写真にあるように、ゴムバンド等の伸縮部材が縫製されている。穴は、首輪に繋げたリードを通す部位である。
【００２７】
そのような構成であるので、該愛玩動物用衣服は愛玩動物に取り付けが容易であり、かつ優れた吸水性を有するものであった。また同時に、ベルトの摩擦係数が大きくなることにより、結んだベルトが解け難いという優れた効果を奏するものであった。
【００２８】
［実施例２］
実施例１において、分割型極細仮撚捲縮加工糸（ポリエチレンテレフタレート：ナイロン＝７０重量％：３０重量％ ） １６８ｄｔｅｘ／４０ｆｉｌ（１フィラメントが１６分割可能型）を用いて極細繊維(単繊維繊度が０．２６ｄｔｅｘ)を含むパイル織物（目付け６９８ｇｒ／ｍ２）を得ること以外は実施例１と同様にした。
【００２９】
得られた愛玩動物用衣服は愛玩動物に取り付けが容易であり、かつ優れた吸水性を有するものであった。また同時に、ベルトの摩擦係数が大きくなることにより、結んだベルトが解け難いという優れた効果を奏するものであった。
【００３０】
［実施例３］
実施例１において、分割型極細仮撚捲縮加工糸（ポリエチレンテレフタレート：ナイロン＝６５重量％：３５重量％ ） １６８ｄｔｅｘ／４０ｆｉｌ（１フィラメントが１６分割可能型）を用いて極細繊維(単繊維繊度が０．２６ｄｔｅｘ)を含むパイル編物（目付け５３０ｇｒ／ｍ２）を得ること以外は実施例１と同様にした。
【００３１】
得られた愛玩動物用衣服は愛玩動物に取り付けが容易であり、かつ優れた吸水性を有するものであった。また同時に、ベルトの摩擦係数が大きくなることにより、結んだベルトが解け難いという優れた効果を奏するものであった。
【産業上の利用可能性】
【００３２】
本考案によれば、愛玩動物に取り付けが容易であり、かつ優れた吸水性を有する愛玩動物用衣服が得られ、その工業的価値は極めて大である。
【図１】
0003212323.tif 000003
【図２】
0003212323.tif 000004
【図３】
0003212323.tif 000005
【図４】
0003212323.tif 000006
【図５】
0003212323.tif 000007
【図６】
0003212323.tif 000008
【図７】
0003212323.tif 000009
【図８】
0003212323.tif 000010
【図９】
0003212323.tif 000011
【図１０】
0003212323.tif 000012
【手続補正書】
【提出日】平成29年7月12日(2017.7.12)
【手続補正１】
【補正対象書類名】実用新案登録請求の範囲
【補正対象項目名】全文
【補正方法】変更
【補正の内容】
【実用新案登録請求の範囲】
【請求項１】
愛玩動物用衣服であって、
愛玩動物を覆う布と、該布を愛玩動物に固定するベルトとを有し、前記布とベルトに極細繊維が含まれることを特徴とする愛玩動物用衣服。
【請求項２】
前記極細繊維の単繊維繊度が０．００１〜１．０ｄｔｅｘの範囲内である、請求項１に記載の愛玩動物用衣服。
【請求項３】
前記布およびベルトがパイル布帛からなる、請求項１または請求項２に記載の愛玩動物用衣服。
【請求項４】
愛玩動物用衣服が、愛玩動物の首に位置する部分にリードを通す穴を有する、請求項１〜３の何れか１項に記載の愛玩動物用衣服。
【請求項５】
愛玩動物用衣服が、愛玩動物の背部に位置する布から連設された、前記愛玩動物の頭部を覆う帽子を有する、請求項１〜４の何れか１項に記載の愛玩動物用衣服。
【請求項６】
前記帽子の縁部に伸縮部材を有する、請求項５に記載の愛玩動物用衣服。
【請求項７】
前記帽子の縁の両付け根に、愛玩動物の顎位置で貼り付き合う面ファスナーを有する、請求項５又は請求項６に記載の愛玩動物用衣服。